(57)【特許請求の範囲】
【請求項１】
一方の第１コネクタと他方の第２コネクタが互いに係脱自在なロック機構を備えたロック機構付きコネクタであって、
前記第１コネクタは、
一方の面を略矩形に開口した凹部を有する直方体状の第１ハウジングと、
ピン状の接続端子を前記凹部の内部に配置した一つ以上の第１コンタクトと、を備え、
前記第２コネクタは、
前記凹部に嵌合自在なヘッダー部を一端部側に有し、前記第１ハウジングの一方の面に部分的に当接自在な鍔部を他端部に有する直方体状の第２ハウジングと、
前記第２ハウジングの内部に配置され、前記第１コンタクトの接続端子と接続自在なベローズ端子を一端部に有する第２コンタクトと、を備え、
前記第１ハウジングは、前記凹部の一方の内壁と所定の間隔を設けて、当該凹部の一方の内壁と略平行に、前記凹部の開口面に向って前記凹部の底部から突出し、前記凹部の中心部に向けて突出した台形状のフック部を先端部に設けた帯板状のロックアームを有し、
前記第２ハウジングは、前記ヘッダー部の一方の面から隆起し、前記フック部と係脱自在な一つ以上の四角錐台状の係合突起を有している、ロック機構付きコネクタ。
【請求項２】
前記第１コンタクトは、前記接続端子と連続し、プリント基板にハンダ接合自在なリード端子を有している、請求項１記載のロック機構付きコネクタ。
【請求項３】
前記第２コンタクトは、ケーブルの端末を圧接により結線する圧接端子を他端部に有している、請求項１又は２記載のロック機構付きコネクタ。
【請求項４】
前記第１コンタクトは、前記接続端子に対して前記リード端子を略直角に屈曲している、請求項２記載のロック機構付きコネクタ。
【発明の詳細な説明】
【技術分野】
【０００１】
本発明は、ロック機構付きコネクタに関する。特に、相手側コネクタとの機械的保持を可能とするロック機構を備えたロック機構付きコネクタの構造に関する。
【背景技術】
【０００２】
複数のケーブル付きソケットコンタクトを実装したコネクタと、複数のピンコンタクトを有するコネクタを電気的及び機械的に接続する対をなすコネクタが知られている。例えば、基板対電線コネクタが知られている。この場合、一方のコネクタがプリント基板に実装され、一方のコネクタに他方のケーブル付きコネクタが着脱自在に接続される。
【０００３】
このような電気接続用のコネクタでは、一方のコネクタと他方のコネクタを確実に接続しておくために、ロック機構を設けていることが多い。基板対電線コネクタでは、一方のコネクタに対して、他方のコネクタにケーブルを配設しているので、ロック機構を設ける場合が特に多い。
【０００４】
このようなロック機構付きのコネクタとしては、複数のケーブルを配設した一方のコネクタには、レバー式のロックアームを設け、他方のコネクタには、ロックアームが係止自在なフック部を設けた、いわゆるレバーロック式のロック機構を備えたロック機構付きコネクタが開示されている（例えば、特許文献１参照）。
【０００５】
又、このようなロック機構付きのコネクタとしては、複数のケーブルを配設した一方のコネクタには、外壁から突出した一対の突起を設け、他方のコネクタには、内壁から外壁に貫通し、これらの突起が嵌合する一対の係止穴を開口し、一方のコネクタと他方のコネクタを摩擦力によりロックする、いわゆるフリクションロック式のロック機構を備えたロック機構付きコネクタが開示されている（例えば、特許文献２参照）。
【先行技術文献】
【特許文献】
【０００６】
【特許文献１】特開２０００−１６４２９４号公報
【特許文献２】特開２０００−６７９８８号公報
【発明の概要】
【発明が解決しようとする課題】
【０００７】
図８は、従来技術によるロック機構付きコネクタの構成を示す斜視図であり、一方のコネクタと他方のコネクタを対向配置した状態図である。図９は、従来技術によるロック機構付きコネクタの構成を示す縦断面図であり、一方のコネクタと他方のコネクタを接続した状態図である。なお、本願の図８と図９は、特許文献１の図１と図３に対応している。
【０００８】
図８又は図９を参照すると、一方のコネクタ（以下、プラグという）９１は、直方体状のハウジング９１ｈと複数のソケット形のコンタクト９１ｃを備えている。これらのコンタクト９１ｃは、ハウジング９１ｈの内部に配列されている（図９参照）。コンタクト９１ｃは、その基端部がケーブルＣｂの端末を結線している。コンタクト９１ｃの先端部は、後述するピンコンタクト９３ｃと接続できる。
【０００９】
又、図８又は図９を参照すると、プラグ９１は、レバー式のロックアーム９２を更に備えている。ロックアーム９２は、略矩形の板状に形成している。又、ロックアーム９２は、その底面がハウジング９１ｈの一方の外壁面と略平行に配置されている。
【００１０】
図９を参照すると、ハウジング９１ｈは、所定の間隔で離隔した一対の支持部９２ｍ・９２ｍを有している。一対の支持部９２ｍ・９２ｍは、ロックアーム９２に向かって、ハウジング９１ｈの一方の外壁から突出している。又、一対の支持部９２ｍ・９２ｍは、それらの先端部がロックアーム９２の中間部に結合している。つまり、ハウジング９１ｈとロックアーム９２は、一体に成形されている。
【００１１】
図８又は図９を参照すると、ロックアーム９２は、第１の部分９２１と第２の部分９２２を有している。第１の部分９２１は、支持部９２ｍから相手方のベースコネクタ９３への装着方向Ａ側に位置している（図８参照）。第２の部分９２２は、支持部９２ｍから相手方のベースコネクタ９３との反装着方向Ｂ側に位置している（図８参照）。
【００１２】
図８又は図９を参照すると、ロックアーム９２の第１の部分９２１は、鉤状に形成した一対のフック部９１ａ・９１ｂを含んでいる。一対のフック部９１ａ・９１ｂは、相手方のベースコネクタ９３に形成した一対の係合突起９３ａ・９３ｂに係合できる。
【００１３】
図８又は図９を参照すると、ロックアーム９２の第２の部分９２２は、指押さえ部９２ｆを含んでいる。指押さえ部９２ｆをハウジング９１ｈの一方の外壁に向かって押すと、一対の支持部９２ｍ・９２ｍが弾性変形し、ハウジング９１ｈの一方の外壁から、第１の部分９２１を離反できる。そして、一対のフック部９１ａ・９１ｂと一対の係合突起９３ａ・９３ｂの係合を解除できる。一方、指押さえ部９２ｆを解放すると、ロックアーム９２を元の状態に復帰できる。
【００１４】
図８又は図９を参照すると、他方のコネクタ（以下、ベースコネクタという）９３は、直方体状のハウジング９３ｈと複数のピンコンタクト９３ｃを備えている。これらのピンコンタクト９３ｃは、ハウジング９３ｈの底部に配列されている（図９参照）。ピンコンタクト９３ｃは、その一端部がハウジング９３ｈの内部に突出している。そして、ピンコンタクト９３ｃの一端部は、コンタクト９１ｃと接続できる（図９参照）。
【００１５】
図９を参照すると、ピンコンタクト９３ｃの他端部は、ハウジング９３ｈの底面から突出している。ピンコンタクト９３ｃの他端部は、プリント基板９ｐに開口されたスルーホール（図示せず）に挿入できる（図８参照）。そして、ピンコンタクト９３ｃの他端部とスルーホール（図示せず）をハンダ接合することで、ベースコネクタ９３をプリント基板９ｐに実装できる。つまり、ベースコネクタ９３は、プリント基板に実装できるプリント基板用コネクタである。
【００１６】
図８を参照すると、ハウジング９３ｈは、一方の面を開口した凹部９３０を有している。ハウジング９３ｈの凹部９３０には、プラグ９１を挿抜できる（図９参照）。
【００１７】
図８を参照すると、ハウジング９３ｈは、一対の係合突起９３ａ・９３ｂを一方の外壁面に形成している。一対の係合突起９３ａ・９３ｂは、ロックアーム９２に設けた一対のフック部９１ａ・９１ｂに係合できる。一対の係合突起９３ａ・９３は、縦リブ９３１を挟んだ一対の凹部９３ｄ・９３ｅの端部に形成している。
【００１８】
図８又は図９を参照すると、一対の係合突起９３ａ・９３ｂは、傾斜した案内面９３ｓを一端部側に形成している。プラグ９１をベースコネクタ９３の凹部９３０に挿入すると、一対のフック部９１ａ・９１ｂの先端縁が案内面９３ｓに当接して、一対のフック部９１ａ・９１ｂを持ち上げることができる。
【００１９】
図８又は図９を参照して、プラグ９１を凹部９３０に更に挿入すると、一対のフック部９１ａ・９１ｂが一対の係合突起９３ａ・９３ｂを乗り越して、一対のフック部９１ａ・９１ｂを一対の係合突起９３ａ・９３ｂに係合できる。これにより、ベースコネクタ９３に対して、プラグ９１をロックできる。
【００２０】
図１０は、他の従来技術によるロック機構付きコネクタの構成を示す斜視図であり、一方のコネクタと他方のコネクタを対向配置した状態図である。図１１は、他の従来技術によるロック機構付きコネクタの構成を示す正面図であり、一方のコネクタと他方のコネクタを接続した状態図である。なお、本願の図１０と図１１は、特許文献２の図７と図８に対応している。
【００２１】
図１０又は図１１を参照すると、一方のコネクタ（以下、プラグという）８１は、直方体状のハウジング８１ｈと図示しない複数のソケット形のコンタクトを備えている。これらのコンタクトは、ハウジング８１ｈの内部に配列されている。又、コンタクトは、その基端部がケーブルＣｂの端末を圧接により結線している。これらのコンタクトの先端部は、後述するピンコンタクト８３ｃと接続できる。
【００２２】
図１０を参照すると、プラグ８１は、一対の突起８１ｂ・８１ｂを更に備えている。これらの突起８１ｂ・８１ｂは、ハウジング８１ｈの一方の側面から突出している。又、これらの突起８１ｂ・８１ｂは、後述する一対の係止穴８３ｉ・８３ｉに嵌合できる。
【００２３】
図１０又は図１１を参照すると、他方のコネクタ（以下、ベースコネクタという）８３は、直方体状のハウジング８３ｈと複数のピンコンタクト８３ｃを備えている。これらのピンコンタクト８３ｃは、ハウジング８３ｈの底部に配列されている。ピンコンタクト８３ｃは、その一端部がハウジング８３ｈの内部に突出している。そして、ピンコンタクト８３ｃの一端部は、プラグ８１のコンタクト（図示せず）と接続できる。
【００２４】
図１０を参照すると、ピンコンタクト８３ｃの他端部は、ハウジング８３ｈの底面から突出している。ピンコンタクト８３ｃの他端部は、プリント基板９ｐに開口されたスルーホール（図示せず）に挿入できる（図１１参照）。そして、ピンコンタクト９３ｃの他端部とスルーホール（図示せず）をハンダ接合することで、ベースコネクタ８３をプリント基板９ｐに実装できる。
【００２５】
図１０を参照すると、ハウジング８３ｈは、一方の面を開口した凹部８３０を有している。ハウジング８３ｈの凹部８３０には、プラグ８１を挿抜できる（図１１参照）。
【００２６】
又、図１０を参照すると、ハウジング８３ｈは、一対の係止穴８３ｉ・８３ｉを一方の側面に開口している。これらの係止穴８３ｉ・８３ｉは、凹部８３０の内壁から一方の側面に貫通している。
【００２７】
図１０を参照して、プラグ８１をベースコネクタ８３の凹部８３０に挿入すると、一対の突起８１ｂ・８１ｂは、その先端部が凹部８３０の内壁をスライドしながら進入する。プラグ８１を凹部８３０に更に挿入すると、一対の突起８１ｂ・８１ｂを一対の係止穴８３ｉ・８３ｉに係合できる。これにより、ベースコネクタ８３に対して、プラグ８１をロックできる（図１１参照）。
【００２８】
図１０又は図１１を参照すると、プラグ８１とベースコネクタ８３は、摩擦力によりロックする、いわゆるフリクションロック式のロック機構を備えたロック機構付きコネクタとなっている。
【００２９】
一方、図１１に示した状態から、プラグ８１の両端部に配置した一対の鍔部８１ｆ・８１ｆを把持し（図１０参照）、突起８１ｂが係止穴８３ｉから離脱する強い力で、プラグ８１を引っ張ることで、ベースコネクタ８３からプラグ８１を引き抜くことができる。
【００３０】
図８又は図９に示したレバーロック式のロック機構は、ロックアーム９２の先端部が一対の係合突起９３ａ・９３ｂを乗り越えたときの感触（いわゆる、クリック感）で、プラグ８１とベースコネクタ８３の完全嵌合を実感できるという利点がある。
【００３１】
一方、レバーロック式のロック機構は、コネクタを挿抜するとき以外は、ハウジングの外壁に構成したロックアームが不要な突起物ということもできる。プリント基板に実装した他の実装物がロックアームに当接して、コネクタのロックが不安定になるという心配がある。
【００３２】
図１０又は図１１に示したフリクションロック式のロック機構は、コネクタの外壁にロックアームを設けていないので、コネクタのロックが不安定になる心配が無い。又、フリクションロック式のロック機構は、一方のコネクタの両側部を把持して、他方のコネクタから容易に引き抜くことができるので、操作性に優れているという利点がある。
【００３３】
しかし、フリクションロック式のロック機構は、一方のコネクタと他方のコネクタを摩擦力によりロックしているので、一方のコネクタと他方のコネクタが完全嵌合したことを実感するのが容易でない、という不便な構造になっている。
【００３４】
一方のコネクタと他方のコネクタが完全嵌合したことを実感できると共に、一方のコネクタと他方のコネクタとの着脱が容易な操作性に優れたロック機構付きコネクタが求められている。そして、以上のことが本発明の課題といってよい。
【００３５】
本発明は、このような課題に鑑みてなされたものであり、一方のコネクタと他方のコネクタの完全嵌合を実感できると共に、操作性に優れたロック機構付きコネクタを提供することを目的とする。
【課題を解決するための手段】
【００３６】
本発明者は、一方の第１コネクタには、第１ハウジングに形成した凹部の開口面に向って突出したロックアームを第１ハウジングに設け、他方の第２コネクタには、ロックアームの先端部に形成したフック部と係脱自在な四角錐台状の係合突起を第２ハウジングのヘッダー部に設け、ヘッダー部を凹部に挿入したときは、係合突起がフック部を乗り越えて、第１コネクタと第２コネクタの完全嵌合を実感でき、ヘッダー部を凹部から引き抜いたときは、フック部を変位させて、第２コネクタを第１コネクタから容易に引き抜くことができると考え、これに基づいて、以下のような新たなロック機構付きコネクタを発明するに至った。
【００３７】
（１）  一方の第１コネクタと他方の第２コネクタが互いに係脱自在なロック機構を備えたロック機構付きコネクタであって、前記第１コネクタは、一方の面を略矩形に開口した凹部を有する直方体状の第１ハウジングと、ピン状の接続端子を前記凹部の内部に配置した一つ以上の第１コンタクトと、を備え、前記第２コネクタは、前記凹部に嵌合自在なヘッダー部を一端部側に有し、前記第１ハウジングの一方の面に部分的に当接自在な鍔部を他端部に有する直方体状の第２ハウジングと、前記第２ハウジングの内部に配置され、前記第１コンタクトの接続端子と接続自在なベローズ端子を一端部に有する第２コンタクトと、を備え、前記第１ハウジングは、前記凹部の一方の内壁と所定の間隔を設けて、当該凹部の一方の内壁と略平行に、前記凹部の開口面に向って前記凹部の底部から突出し、前記凹部の中心部に向けて突出した台形状のフック部を先端部に設けた帯板状のロックアームを有し、前記第２ハウジングは、前記ヘッダー部の一方の面から隆起し、前記フック部と係脱自在な一つ以上の四角錐台状の係合突起を有している、ロック機構付きコネクタ。
【００３８】
（２）  前記第１コンタクトは、前記接続端子と連続し、プリント基板にハンダ接合自在なリード端子を有している、（１）記載のロック機構付きコネクタ。
【００３９】
（３）  前記第２コンタクトは、ケーブルの端末を圧接により結線する圧接端子を他端部に有している、（１）又は（２）記載のロック機構付きコネクタ。
【００４０】
（４）  前記第１コンタクトは、前記接続端子に対して前記リード端子を略直角に屈曲している、（２）記載のロック機構付きコネクタ。
【発明の効果】
【００４１】
本発明によるロック機構付きコネクタは、一方の第１コネクタには、第１ハウジングに形成した凹部の開口面に向って突出したロックアームを第１ハウジングに設け、他方の第２コネクタには、ロックアームの先端部に形成したフック部と係脱自在な四角錐台状の係合突起を第２ハウジングのヘッダー部に設け、ヘッダー部を凹部に挿入したときは、係合突起がフック部を乗り越えて、第１コネクタと第２コネクタの完全嵌合を実感でき、ヘッダー部を凹部から引き抜いたときは、フック部を変位させて、第２コネクタを第１コネクタから容易に引き抜くことができる。
【図面の簡単な説明】
【００４２】
【図１】本発明の一実施形態によるロック機構付きコネクタの構成を示す斜視図であり、一方の第１コネクタと他方の第２コネクタを接続した状態図である。
【図２】前記実施形態によるロック機構付きコネクタの構成を示す斜視図であり、一方の第１コネクタと他方の第２コネクタを対向配置した状態図である。
【図３】前記実施形態によるロック機構付きコネクタの構成を示す斜視断面図であり、一方の第１コネクタと他方の第２コネクタを接続した状態図である。
【図４】前記実施形態によるロック機構付きコネクタの構成を示す図であり、図４（Ａ）は、一方の第１コネクタと他方の第２コネクタを接続した状態で示すロック機構付きコネクタの平面図、図４（Ｂ）は、図４（Ａ）の正面図、図４（Ｃ）は、図４（Ａ）の背面図、図４（Ｄ）は、図４（Ａ）の右側面図、図４（Ｅ）は、図４（Ａ）の左側面図、図４（Ｆ）は、図４（Ａ）の下面図である。
【図５】前記実施形態による一方の第１コネクタの構成を示す斜視図であり、一方の第１コネクタを底面側から観ている。
【図６】前記実施形態によるロック機構付きコネクタの構成を示す縦断面図であり、一方の第１コネクタに他方の第２コネクタを挿入する前の状態図である。
【図７】前記実施形態によるロック機構付きコネクタの構成を示す縦断面図であり、一方の第１コネクタに他方の第２コネクタを挿入した状態図である。
【図８】従来技術によるロック機構付きコネクタの構成を示す斜視図であり、一方のコネクタと他方のコネクタを対向配置した状態図である。
【図９】従来技術によるロック機構付きコネクタの構成を示す縦断面図であり、一方のコネクタと他方のコネクタを接続した状態図である。
【図１０】他の従来技術によるロック機構付きコネクタの構成を示す斜視図であり、一方のコネクタと他方のコネクタを対向配置した状態図である。
【図１１】他の従来技術によるロック機構付きコネクタの構成を示す正面図であり、一方のコネクタと他方のコネクタを接続した状態図である。
【発明を実施するための形態】
【００４３】
以下、図面を参照して本発明を実施するための形態を説明する。
［ロック機構付きコネクタの構成］
最初に、本発明の一実施形態によるロック機構付きコネクタの構成を説明する。
【００４４】
図１は、本発明の一実施形態によるロック機構付きコネクタの構成を示す斜視図であり、一方の第１コネクタと他方の第２コネクタを接続した状態図である。図２は、前記実施形態によるロック機構付きコネクタの構成を示す斜視図であり、一方の第１コネクタと他方の第２コネクタを対向配置した状態図である。
【００４５】
図３は、前記実施形態によるロック機構付きコネクタの構成を示す斜視断面図であり、一方の第１コネクタと他方の第２コネクタを接続した状態図である。
【００４６】
図４は、前記実施形態によるロック機構付きコネクタの構成を示す図であり、図４（Ａ）は、一方の第１コネクタと他方の第２コネクタを接続した状態で示すロック機構付きコネクタの平面図、図４（Ｂ）は、図４（Ａ）の正面図、図４（Ｃ）は、図４（Ａ）の背面図、図４（Ｄ）は、図４（Ａ）の右側面図、図４（Ｅ）は、図４（Ａ）の左側面図、図４（Ｆ）は、図４（Ａ）の下面図である。
【００４７】
図５は、前記実施形態による一方の第１コネクタの構成を示す斜視図であり、一方の第１コネクタを底面側から観ている。
【００４８】
図６は、前記実施形態によるロック機構付きコネクタの構成を示す縦断面図であり、一方の第１コネクタに他方の第２コネクタを挿入する前の状態図である。図７は、前記実施形態によるロック機構付きコネクタの構成を示す縦断面図であり、一方の第１コネクタに他方の第２コネクタを挿入した状態図である。
【００４９】
（全体構成）
図１から図７を参照すると、本発明の一実施形態によるロック機構付きコネクタ（以下、コネクタと略称する）１００は、一方の第１コネクタ（以下、リセプタクルという）１０と他方の第２コネクタ（以下、プラブという）２０が互いに係脱自在なロック機構１１を備えている。
【００５０】
図１から図７を参照すると、リセプタクル１０は、直方体状の第１ハウジング１と複数の第１コンタクト３を備えている。第１ハウジング１は、一方の面を略矩形に開口した凹部１１０を有している（図２又は図５及び図６参照）。第１コンタクト３は、ピン状の接続端子３ｃを凹部１１０の内部に配置している（図５から図７参照）。
【００５１】
図１から図４及び図６又は図７を参照すると、プラブ２０は、直方体状の第２ハウジング２と複数の第２コンタクト４を備えている。第２ハウジング２は、ヘッダー部２ｈを一端部側に有し、鍔部２ｆを他端部に有している（図３又は図６及び図７参照）。ヘッダー部２ｈは、第１ハウジング１の凹部１１０に嵌合できる。鍔部２ｆは、第１ハウジング１の一方の面に部分的に当接できる。
【００５２】
図３又は図６及び図７を参照すると、第２コンタクト４は、第２ハウジング２の内部に配置されている。第２コンタクト４は、ベローズ端子４ｂを一端部に有している。ベローズ端子４ｂは、第１コンタクト３の接続端子３ｃと電気的に接続できる。
【００５３】
図３又は図５及び図６又は図７を参照すると、第１ハウジング１は、帯板状のロックアーム１２を有している。ロックアーム１２は、凹部１１０の一方の内壁と所定の間隔を設けて、凹部１１０の一方の内壁と略平行に、凹部１１０の開口面に向って凹部１１０の底部から突出している。
【００５４】
又、図３又は図５及び図６又は図７を参照すると、ロックアーム１２は、台形状のフック部１２ｈを先端部に設けている。フック部１２ｈは、凹部１１０の中心部に向けて突出している。
【００５５】
一方、図２又は図６及び図７を参照すると、第２ハウジング２は、四つの四角錐台状の係合突起２ｂを有している。これらの係合突起２ｂは、ヘッダー部２ｈの一方の面から隆起している。そして、これらの係合突起２ｂは、ロックアーム１２のフック部１２ｈと係脱できる（図６又は図７参照）。
【００５６】
図６又は図７を参照すると、実施形態によるコネクタ１００は、ヘッダー部２ｈを凹部１１０に挿入したときは、係合突起２ｂがフック部１２ｈを乗り越えて、リセプタクル１０とプラブ２０の完全嵌合を実感できる。一方、ヘッダー部２ｈを凹部１１０から引き抜いたときは、フック部１２ｈを変位させて、プラブ２０をリセプタクル１０から容易に引き抜くことができる。
【００５７】
（第１ハウジングの構成）
次に、実施形態による第１ハウジング１の構成を説明する。図１から図７を参照すると、第１ハウジング１は、絶縁性を有している。非導電性の材料からなる合成樹脂を成形して、所望の形状の絶縁性の第１ハウジング１を得ることができる。
【００５８】
図２から図５を参照すると、第１ハウジング１は、一対のキー溝１ｄ・１ｄを有している。一対のキー溝１ｄ・１ｄは、凹部１１０と連通している。又、一対のキー溝１ｄ・１ｄは、凹部１１０の一方の内壁に穿設している。一対のキー溝１ｄ・１ｄは、後述するキー２ｋをスライド自在に案内できる。
【００５９】
一方、図２又は図４（Ｂ）を参照すると、第２ハウジング２は、一対のキー２ｋ・２ｋをヘッダー部２ｈに有している。一対のキー２ｋ・２ｋは、ヘッダー部２ｈの一方の面から隆起している。又、一対のキー２ｋ・２ｋは、所定の間隔を設けて、ヘッダー部２ｈの前部に配置されている。
【００６０】
図２を参照して、一対のキー２ｋ・２ｋは、一対のキー溝１ｄ・１ｄに嵌合できる。プラブ２０の天地を逆にして、リセプタクル１０の凹部１１０に挿入しようとすると、一対のキー２ｋ・２ｋが第１ハウジング１の一方の面に当接することで、プラブ２０の誤挿入を防止できる。
【００６１】
（第１コンタクトの構成）
次に、実施形態による第１コンタクト３の構成を説明する。図２から図７を参照して、第１コンタクト３は、導電性を有している。導電性の金属板を打ち抜き加工して、所望の形状の導電性の第１コンタクト３を得ることができる。第１コンタクト３は、加工の容易性や、ばね特性、導電性などを考慮すれば、例えば、銅合金が好ましく用いられるが、銅合金に限定されない。
【００６２】
図３又は図５から図７を参照すると、第１コンタクト３は、リード端子３ｒを有している。リード端子３ｒは、接続端子３ｃと連続している。リード端子３ｒをプリント基板９ｐの表面にあるパターン（図示せず）にハンダ接合することで、リセプタクル１０をプリント基板９ｐに実装できる（図１又は図２参照）。
【００６３】
又、図３又は図５から図７を参照すると、第１コンタクト３は、接続端子３ｃに対してリード端子３ｒをプリント基板９ｐの表面に実装するため、略直角に屈曲させている。
【００６４】
（第２ハウジングの構成）
次に、実施形態による第２ハウジング２の構成を説明する。図１から図４及び図６又は図７を参照すると、第２ハウジング２は、絶縁性を有している。非導電性の材料からなる合成樹脂を成形して、所望の形状の絶縁性の第１ハウジング１を得ることができる。
【００６５】
図１から図３を参照すると、第２ハウジング２は、下面に開口した複数の収容溝２ｅを有している。収容溝２ｅには、ケーブルＣｂを外周方向から導入できる。収容溝２ｅは、ケーブルＣｂが、第２ハウジング２から離反困難にΩ字状に開口側が狭まっている。
【００６６】
図６又は図７を参照すると、収容溝２ｅの奥側には、後述する圧接端子４ｃを配置している。ケーブルＣｂをその外周方向から収容溝２ｅに導入すると、圧接端子４ｃに設けた一対の圧接刃（図示せず）がケーブルＣｂの被覆を押しのけて、ケーブルＣｂの芯線と圧接端子４ｃを電気的に接続できる。
【００６７】
（第２コンタクトの構成）
次に、実施形態による第２コンタクト４の構成を説明する。図３又は図６及び図７を参照して、第２コンタクト４は、導電性を有している。導電性の金属板を打ち抜き加工して、所望の形状の導電性の第２コンタクト４を得ることができる。第２コンタクト４は、加工の容易性や、ばね特性、導電性などを考慮すれば、例えば、銅合金が好ましく用いられるが、銅合金に限定されない。
【００６８】
図３又は図５から図７を参照すると、第２コンタクト４は、圧接端子４ｃを他端部に有している。圧接端子４ｃは、収容溝２ｅに導入されたケーブルＣｂの端末を圧接により結線している。そして、プラブ２０は、一方の面から複数のケーブルＣｂを延設している（図１参照）。
【００６９】
［ロック機構付きコネクタの作用］
次に、実施形態によるコネクタ１００の動作を説明しながら、コネクタ１００の作用及び効果を説明する。
【００７０】
図１又は図２を参照して、プリント基板９ｐの垂直方向から、プラブ２０をリセプタクル１０の凹部１１０に挿入することで、第２コンタクト４及び第１コンタクト３を介して、ケーブルＣｂとプリント基板９ｐのパターンを電気的に接続できる（図７参照）。実施形態によるコネクタ１００は、「基板対電線コネクタ」ということもできる。
【００７１】
図６に示した状態から、プラブ２０をリセプタクル１０の凹部１１０の奥部に挿入すると、係合突起２ｂがフック部１２ｈに当接する。プラブ２０を更に挿入すると、係合突起２ｂとフック部１２ｈの当接面は、斜面を形成しているので、フック部１２ｈは凹部１１０の一方の内壁に向かって変位する。プラブ２０を更に挿入して、係合突起２ｂがフック部１２ｈを乗り越えると（図７参照）、フック部１２ｈが弾性復帰して、プラブ２０とリセプタクル１０の完全嵌合を実感できる。
【００７２】
一方、図７に示した状態から、プラブ２０をリセプタクル１０の凹部１１０から引き抜くと、係合突起２ｂとフック部１２ｈの当接面は、斜面を形成しているので、フック部１２ｈは凹部１１０の一方の内壁に向かって変位する。これにより、プラブ２０をリセプタクル１０から容易に引き抜くことができる（図６参照）。
【００７３】
実施形態によるコネクタ１００は、ロック機構１１であるロックアーム１２を凹部１１０の内部に配置しているので、プリント基板９ｐに実装した他の実装物がロックアームに当接して、コネクタのロックが不安定になるという心配が無くなる。
【００７４】
又、実施形態によるコネクタ１００は、リセプタクル１０とプラブ２０が完全嵌合したことを実感できると共に、リセプタクル１０とプラブ２０との着脱が容易であり、操作性に優れている。
【００７５】
本発明による実施形態は、基板対電線コネクタ用のロック機構付き角型コネクタを開示したが、本発明によるロック機構付きコネクタは、基板対電線コネクタに限定されない。又、本発明によるロック機構付きコネクタは、丸型コネクタにも応用することもできる。
【符号の説明】
【００７６】
１  第１ハウジング
２  第２ハウジング
２ｂ  係合突起
２ｆ  鍔部
２ｈ  ヘッダー部
３  第１コンタクト
３ｃ  接続端子
４  第２コンタクト
４ｂ  ベローズ端子
１０  リセプタクル（第１コネクタ）
１１  ロック機構
１２  ロックアーム
１２ｈ  フック部
２０  プラブ（第２コネクタ）
１００  コネクタ（ロック機構付きコネクタ）
１１０  凹部
【図１】
0006609210.tif 000002
【図２】
0006609210.tif 000003
【図３】
0006609210.tif 000004
【図４】
0006609210.tif 000005
【図５】
0006609210.tif 000006
【図６】
0006609210.tif 000007
【図７】
0006609210.tif 000008
【図８】
0006609210.tif 000009
【図９】
0006609210.tif 000010
【図１０】
0006609210.tif 000011
【図１１】
0006609210.tif 000012